【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
マルチキャスト協調エンティティ（ＭＣＥ）が、それぞれのｅノードＢ（ｅＮＢ）から複数のチャネルステータス報告を受信することと、ここにおいて、各チャネルステータス報告は、競合ベース無線周波数帯域中の複数のチャネルのうちの１つに関する各ｅＮＢに関連するチャネル情報を含む、
前記複数のチャネルステータス報告に基づいて前記複数のチャネルの中からｅＮＢのためのチャネルを選択することと、ここにおいて、前記選択されたチャネルは、発展型マルチメディアブロードキャストマルチキャストサービス（ｅＭＢＭＳ）のために使用されるために利用可能である、
前記選択されたチャネルを使用して前記ｅＭＢＭＳを提供するように前記ｅＮＢに促すことと
を備える、通信の方法。
【請求項２】
各チャネルステータス報告は、前記各ｅＮＢの前記チャネルにワイヤレスローカルエリアネットワーク（ＷＬＡＮ）送信がないかどうかを示す情報を含む、請求項１に記載の方法。
【請求項３】
前記チャネルのＷＬＡＮ信号強度が第１のしきい値以下である場合、前記各ｅＮＢの前記チャネルに前記ＷＬＡＮ送信がない、請求項２に記載の方法。
【請求項４】
前記チャネルを前記選択することは、
前記複数のチャネルステータス報告に基づいて、前記ＷＬＡＮ送信がないフリーチャネルを選択することと、
前記複数のチャネルステータス報告により前記それぞれのｅＮＢのいずれも前記フリーチャネルを有しない場合、第２のしきい値未満のＷＬＡＮ信号強度を有する低負荷チャネルを選択することと
を備える、請求項１に記載の方法。
【請求項５】
前記それぞれのｅＮＢのいずれも前記フリーチャネルも前記低負荷チャネルも有しない場合、マクロｅＭＢＭＳチャネルまたはユニキャストチャネルのうちの少なくとも１つを介して前記ｅＭＢＭＳを受信するようにユーザ機器（ＵＥ）に促すことをさらに備える、請求項４に記載の方法。
【請求項６】
前記選択されたチャネルと一致するために前記ＵＥのｅＭＢＭＳチャネルを再選択するように１次コンポーネントキャリア（ＰＣＣ）を介してユーザ機器（ＵＥ）に促すことをさらに備える、請求項１に記載の方法。
【請求項７】
前記ｅＭＢＭＳのために単一周波数ネットワーク（ＳＦＮ）利得を最大にするために、前記ｅＮＢのための前記チャネルが選択される、請求項１に記載の方法。
【請求項８】
ｅＭＢＭＳのために使用されるチャネルの数を最小限に抑えることまたは同じチャネルを使用する連続するｅＭＢＭＳサイトの数を最大にすることのうちの少なくとも１つによって、前記ＳＦＮ利得が前記ｅＭＢＭＳのために最大にされる、請求項７に記載の方法。
【請求項９】
前記複数のチャネルのうちの２つまたはそれ以上を介して前記ｅＭＢＭＳを受信するために前記複数のチャネルのうちの前記２つまたはそれ以上を選択することをさらに備え、
ユーザ機器（ＵＥ）は、前記複数のチャネルのうちの前記２つまたはそれ以上と一致する前記ＵＥの２つまたはそれ以上のｅＭＢＭＳチャネルからのデータを結合することによって前記ｅＭＢＭＳを受信するように構成される、請求項７に記載の方法。
【請求項１０】
ランダムなパターンまたはあらかじめ定義されたパターンのうちの少なくとも１つに従って前記ｅＭＢＭＳを受信するために前記複数のチャネルの中から各ｅＮＢのためのチャネルを周期的に再選択することと、
前記再選択されたチャネルを使用して前記ｅＭＢＭＳを提供するように前記ｅＮＢに促すことと
をさらに備え、
前記再選択されたチャネルはフリーチャネルまたは低負荷チャネルである、請求項１に記載の方法。
【請求項１１】
マルチキャスト協調エンティティ（ＭＣＥ）を含むワイヤレス通信のための装置であって、前記装置は、請求項１から１０のうちのいずれか一項の方法のすべてのステップを実行するための手段を備える、装置。
【請求項１２】
前記手段は、メモリと、請求項１から１０のうちのいずれか一項の方法の前記ステップを実行するように構成される前記メモリに結合される少なくとも１つのプロセッサとを含む、請求項１１に記載の装置。
【請求項１３】
マルチキャスト協調エンティティ（ＭＣＥ）が、発展型マルチメディアブロードキャストマルチキャストサービス（ｅＭＢＭＳ）を使用して通信されるべきコンテンツが遅延敏感ｅＭＢＭＳデータに関連する遅延サービス品質（ＱｏＳ）要件を含むかどうかを決定すること、ここにおいて、前記ｅＭＢＭＳは、競合ベース無線周波数帯域中のチャネル内で通信される、
前記コンテンツが前記遅延ＱｏＳ要件を含むと決定すると、前記チャネルのフレームの無競合部分中に前記コンテンツを通信するようにｅノードＢ（ｅＮＢ）に促すこと、ここにおいて、前記チャネルは、前記フレームが前記フレームの前記無競合部分と競合部分とを含む時分割多重化（ＴＤＭ）方式に基づいて編成される、または
前記コンテンツが前記遅延ＱｏＳ要件を含まないと決定すると、前記フレームの前記競合部分中に前記コンテンツを通信するように前記ｅＮＢに促すこと
を備える、通信の方法。
【請求項１４】
マルチキャスト協調エンティティ（ＭＣＥ）を含むワイヤレス通信のための装置であって、前記装置は、請求項１１の方法のすべてのステップを実行するための手段を備える、装置。
【請求項１５】
プログラム命令を備えるコンピュータプログラムであって、前記プログラム命令は、請求項１から１０、または１３のうちのいずれか一項の方法のすべてのステップを実施するためにコンピュータ実行可能である、コンピュータプログラム。
【手続補正２】
【補正対象書類名】明細書
【補正対象項目名】００９３
【補正方法】変更
【補正の内容】
【００９３】
[00113]以上の説明は、当業者が本明細書で説明した様々な態様を実施することができるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
［Ｃ１］
マルチキャスト協調エンティティ（ＭＣＥ）が、それぞれのｅノードＢ（ｅＮＢ）から複数のチャネルステータス報告を受信することと、ここにおいて、各チャネルステータス報告は、競合ベース無線周波数帯域中の複数のチャネルのうちの１つに関する各ｅＮＢに関連するチャネル情報を含む、
前記複数のチャネルステータス報告に基づいて前記複数のチャネルの中からｅＮＢのためのチャネルを選択することと、ここにおいて、前記選択されたチャネルは、発展型マルチメディアブロードキャストマルチキャストサービス（ｅＭＢＭＳ）のために使用されるために利用可能である、
前記選択されたチャネルを使用して前記ｅＭＢＭＳを提供するように前記ｅＮＢに促すことと
を備える、通信の方法。
［Ｃ２］
各チャネルステータス報告は、前記各ｅＮＢの前記チャネルにワイヤレスローカルエリアネットワーク（ＷＬＡＮ）送信がないかどうかを示す情報を含む、Ｃ１に記載の方法。
［Ｃ３］
前記チャネルのＷＬＡＮ信号強度が第１のしきい値以下である場合、前記各ｅＮＢの前記チャネルに前記ＷＬＡＮ送信がない、Ｃ２に記載の方法。
［Ｃ４］
前記チャネルを前記選択することは、
前記複数のチャネルステータス報告に基づいて、前記ＷＬＡＮ送信がないフリーチャネルを選択することと、
前記複数のチャネルステータス報告により前記それぞれのｅＮＢのいずれも前記フリーチャネルを有しない場合、第２のしきい値未満のＷＬＡＮ信号強度を有する低負荷チャネルを選択することと
を備える、Ｃ１に記載の方法。
［Ｃ５］
前記それぞれのｅＮＢのいずれも前記フリーチャネルも前記低負荷チャネルも有しない場合、マクロｅＭＢＭＳチャネルまたはユニキャストチャネルのうちの少なくとも１つを介して前記ｅＭＢＭＳを受信するようにユーザ機器（ＵＥ）に促すことをさらに備える、Ｃ４に記載の方法。
［Ｃ６］
前記選択されたチャネルと一致するために前記ＵＥのｅＭＢＭＳチャネルを再選択するように１次コンポーネントキャリア（ＰＣＣ）を介してユーザ機器（ＵＥ）に促すことをさらに備える、Ｃ１に記載の方法。
［Ｃ７］
前記ｅＭＢＭＳのために単一周波数ネットワーク（ＳＦＮ）利得を最大にするために、前記ｅＮＢのための前記チャネルが選択される、Ｃ１に記載の方法。
［Ｃ８］
ｅＭＢＭＳのために使用されるチャネルの数を最小限に抑えることまたは同じチャネルを使用する連続するｅＭＢＭＳサイトの数を最大にすることのうちの少なくとも１つによって、前記ＳＦＮ利得が前記ｅＭＢＭＳのために最大にされる、Ｃ７に記載の方法。
［Ｃ９］
前記複数のチャネルのうちの２つまたはそれ以上を介して前記ｅＭＢＭＳを受信するために前記複数のチャネルのうちの前記２つまたはそれ以上を選択することをさらに備え、
ユーザ機器（ＵＥ）は、前記複数のチャネルのうちの前記２つまたはそれ以上と一致する前記ＵＥの２つまたはそれ以上のｅＭＢＭＳチャネルからのデータを結合することによって前記ｅＭＢＭＳを受信するように構成される、Ｃ７に記載の方法。
［Ｃ１０］
ランダムなパターンまたはあらかじめ定義されたパターンのうちの少なくとも１つに従って前記ｅＭＢＭＳを受信するために前記複数のチャネルの中から各ｅＮＢのためのチャネルを周期的に再選択することと、
前記再選択されたチャネルを使用して前記ｅＭＢＭＳを提供するように前記ｅＮＢに促すことと
をさらに備え、
前記再選択されたチャネルはフリーチャネルまたは低負荷チャネルである、Ｃ１に記載の方法。
［Ｃ１１］
マルチキャスト協調エンティティ（ＭＣＥ）が、発展型マルチメディアブロードキャストマルチキャストサービス（ｅＭＢＭＳ）を使用して通信されるべきコンテンツが遅延サービス品質（ＱｏＳ）要件を含むかどうかを決定すること、ここにおいて、前記ｅＭＢＭＳは、競合ベース無線周波数帯域中のチャネル内で通信される、
前記コンテンツが前記遅延ＱｏＳ要件を含むと決定すると、前記チャネルのフレームの無競合部分中に前記コンテンツを通信するようにｅノードＢ（ｅＮＢ）に促すこと、ここにおいて、前記チャネルは、前記フレームが前記フレームの前記無競合部分と競合部分とを含む時分割多重化（ＴＤＭ）方式に基づいて編成される、または
前記コンテンツが前記遅延ＱｏＳ要件を含まないと決定すると、前記フレームの前記競合部分中に前記コンテンツを通信するように前記ｅＮＢに促すこと
を備える、通信の方法。
［Ｃ１２］
前記ｅＮＢと他のｅＮＢとが、同じチャネルにおいて同じＴＤＭパターンで同期される、Ｃ１１に記載の方法。
［Ｃ１３］
前記チャネルに関する前記競合期間中のＷＬＡＮ負荷がしきい値を超える場合、前記チャネルから第２のチャネルに切り替えるように前記ｅＮＢに促すことをさらに備え、前記第２のチャネルが、前記チャネルよりも低いＷＬＡＮ負荷を有する、Ｃ１１に記載の方法。
［Ｃ１４］
前記チャネルの前記フレームの前記無競合部分が、前記フレームのポイント協調機能（ＰＣＦ）無競合部分であり、前記チャネルの前記フレームの前記競合部分が、前記フレームの分散協調機能（ＤＣＦ）無競合部分である、Ｃ１１に記載の方法。
［Ｃ１５］
マルチキャスト協調エンティティ（ＭＣＥ）を含むワイヤレス通信のための装置であって、
メモリと、
前記メモリに結合された少なくとも１つのプロセッサと
を備え、
前記少なくとも１つのプロセッサは、
それぞれのｅノードＢ（ｅＮＢ）から複数のチャネルステータス報告を受信することと、ここにおいて、各チャネルステータス報告は、競合ベース無線周波数帯域中の複数のチャネルのうちの１つに関する各ｅＮＢに関連するチャネル情報を含む、
前記複数のチャネルステータス報告に基づいて前記複数のチャネルの中からｅＮＢのためのチャネルを選択することと、ここにおいて、前記選択されたチャネルは、発展型マルチメディアブロードキャストマルチキャストサービス（ｅＭＢＭＳ）のために使用されるために利用可能である、
前記選択されたチャネルを使用して前記ｅＭＢＭＳを提供するように前記ｅＮＢに促すことと
を行うように構成される、装置。
［Ｃ１６］
各チャネルステータス報告は、前記各ｅＮＢの前記チャネルにワイヤレスローカルエリアネットワーク（ＷＬＡＮ）送信がないかどうかを示す情報を含む、Ｃ１５に記載の装置。
［Ｃ１７］
前記チャネルのＷＬＡＮ信号強度が第１のしきい値以下である場合、前記各ｅＮＢの前記チャネルに前記ＷＬＡＮ送信がない、Ｃ１６に記載の装置。
［Ｃ１８］
前記チャネルを選択するように構成された前記少なくとも１つのプロセッサは、
前記複数のチャネルステータス報告に基づいて、前記ＷＬＡＮ送信がないフリーチャネルを選択することと、
前記複数のチャネルステータス報告により前記それぞれのｅＮＢのいずれも前記フリーチャネルを有しない場合、第２のしきい値未満のＷＬＡＮ信号強度を有する低負荷チャネルを選択することと
を行うように構成された、Ｃ１５に記載の装置。
［Ｃ１９］
前記少なくとも１つのプロセッサは、
前記それぞれのｅＮＢのいずれも前記フリーチャネルも前記低負荷チャネルも有しない場合、マクロｅＭＢＭＳチャネルまたはユニキャストチャネルのうちの少なくとも１つを介して前記ｅＭＢＭＳを受信するようにユーザ機器（ＵＥ）に促すこと
を行うようにさらに構成された、Ｃ１８に記載の装置。
［Ｃ２０］
前記少なくとも１つのプロセッサは、
前記選択されたチャネルと一致するために前記ＵＥのｅＭＢＭＳチャネルを再選択するように１次コンポーネントキャリア（ＰＣＣ）を介してユーザ機器（ＵＥ）に促すこと
を行うようにさらに構成された、Ｃ１５に記載の装置。
［Ｃ２１］
前記ｅＭＢＭＳのために単一周波数ネットワーク（ＳＦＮ）利得を最大にするために前記ｅＮＢのための前記チャネルが選択される、Ｃ１５に記載の装置。
［Ｃ２２］
ｅＭＢＭＳのために使用されるチャネルの数を最小限に抑えることまたは同じチャネルを使用する連続するｅＭＢＭＳサイトの数を最大にすることのうちの少なくとも１つによって、前記ＳＦＮ利得が前記ｅＭＢＭＳのために最大にされる、Ｃ２１に記載の装置。
［Ｃ２３］
前記少なくとも１つのプロセッサは、
前記複数のチャネルのうちの２つまたはそれ以上を介して前記ｅＭＢＭＳを受信するために前記複数のチャネルのうちの前記２つまたはそれ以上を選択すること
を行うようにさらに構成され、
ユーザ機器（ＵＥ）は、前記複数のチャネルのうちの前記２つまたはそれ以上と一致する前記ＵＥの２つまたはそれ以上のｅＭＢＭＳチャネルからのデータを結合することによって前記ｅＭＢＭＳを受信するように構成された、Ｃ２１に記載の装置。
［Ｃ２４］
前記少なくとも１つのプロセッサは、
ランダムなパターンまたはあらかじめ定義されたパターンのうちの少なくとも１つに従って前記ｅＭＢＭＳを受信するために前記複数のチャネルの中から各ｅＮＢのためのチャネルを周期的に再選択することと、
前記再選択されたチャネルを使用して前記ｅＭＢＭＳを提供するように前記ｅＮＢに促すことと
を行うようにさらに構成され、
前記再選択されたチャネルがフリーチャネルまたは低負荷チャネルである、Ｃ１５に記載の装置。
［Ｃ２５］
マルチキャスト協調エンティティ（ＭＣＥ）を含むワイヤレス通信のための装置であって、
メモリと、
前記メモリに結合された少なくとも１つのプロセッサと
を備え、
前記少なくとも１つのプロセッサは、
発展型マルチメディアブロードキャストマルチキャストサービス（ｅＭＢＭＳ）を使用して通信されるべきコンテンツが遅延サービス品質（ＱｏＳ）要件を含むかどうかを決定することと、ここにおいて、前記ｅＭＢＭＳは、競合ベース無線周波数帯域中のチャネル内で通信される、
前記コンテンツが前記遅延ＱｏＳ要件を含むと決定すると、前記チャネルのフレームの無競合部分中に前記コンテンツを通信するようにｅノードＢ（ｅＮＢ）に促すことと、ここにおいて、前記チャネルは、前記フレームが前記フレームの前記無競合部分と競合部分とを含む時分割多重化（ＴＤＭ）方式に基づいて編成される、
前記コンテンツが前記遅延ＱｏＳ要件を含まないと決定すると、前記フレームの前記競合部分中に前記コンテンツを通信するように前記ｅＮＢに促すことと
を行うように構成された、装置。
［Ｃ２６］
前記ｅＮＢと他のｅＮＢとが、同じチャネルにおいて同じＴＤＭパターンで同期される、Ｃ２５に記載の装置。
［Ｃ２７］
前記少なくとも１つのプロセッサは、
前記チャネルに関する前記競合期間中のＷＬＡＮ負荷がしきい値を超える場合、前記チャネルから第２のチャネルに切り替えるように前記ｅＮＢに促すことを行うようにさらに構成され、前記第２のチャネルが、前記チャネルよりも低いＷＬＡＮ負荷を有する、Ｃ２５に記載の装置。
［Ｃ２８］
前記チャネルの前記フレームの前記無競合部分が、前記フレームのポイント協調機能（ＰＣＦ）無競合部分であり、前記チャネルの前記フレームの前記競合部分が、前記フレームの分散協調機能（ＤＣＦ）無競合部分である、Ｃ２５に記載の装置。